(57)【要約】【課題】分岐部における光ファイバ心線同士の接続の作業性を高め、狭い作業スペースでも効率よく接続作業を行える光ケーブル分岐部構造を提供する。【解決手段】分岐部付光ケーブル１０の分岐部１４として、光ケーブル１１に設けられたケーシング２３と、ケーシング２３に内設され、それぞれ光コネクタ２４、光コネクタアダプタ３０を介して、各ファイバ単心線１２ａの一端と分岐光ケーブルの１本の光コード１３の一端とを接続可能なコネクタ接続部２５とを有するものを採用したので、光コネクタアダプタ３０に光コード１３の分岐光コネクタ２４Ａを接続するだけで、ファイバ単心線１２ａおよび光コード１３を簡単に光接続できる。しかも、仮に狭い作業スペースであっても、効率良くこの接続作業を行える。【選択図】図１
2007192939.tif 000002
【特許請求の範囲】
【請求項１】
光ケーブルの長さ方向の所定部分に、該光ケーブルから分岐された光ファイバ心線に対して分岐光ケーブルのファイバ心線を接続可能な分岐部が設けられた分岐部付光ケーブルにおいて、
前記分岐部は、
前記光ケーブルに設けられたケーシングと、
該ケーシングに内設され、光コネクタを介して、前記光ファイバ心線の一端と前記分岐光ケーブルのファイバ心線の一端とを接続可能なコネクタ接続部とを有した分岐部付光ケーブル。
【請求項２】
前記ケーシングは、前記光ケーブルの長さ方向に長い箱体で、かつ長さ方向の一端部が先細り化した形状を有している請求項１に記載の分岐部付光ケーブル。
【請求項３】
前記コネクタ接続部は、前記ケーシングのうち、前記先細り化した一端部とは反対の他端部に設けられ、
該ケーシングの他端部には、前記コネクタ接続部を少なくとも一端部によって被う保護カバーが着脱自在に設けられ、
該保護カバーの他端部の端板には、前記分岐光ケーブルのファイバ心線の挿入口が形成された請求項２に記載の分岐部付光ケーブル。
【請求項４】
前記ケーシングには、前記光ケーブルから引き出された光ファイバ心線の余長部分を湾曲状態で収納する余長収納部が内設された請求項１〜請求項３のうち、何れか１項に記載の分岐部付光ケーブル。
【発明の詳細な説明】
【技術分野】
【０００１】
この発明は分岐部付光ケーブル、詳しくは光ケーブルの長さ方向の一部に分岐部を有し、分岐部から引き出された光ファイバ心線に、分岐光ケーブルのファイバ心線を接続可能な分岐部付光ケーブルに関する。
【背景技術】
【０００２】
例えば高層ビルにおいて、電源供給ラインを収納するＥＰＳに縦貫される光通信幹線ケーブルとして、特許文献１の明細書中などに記載された光プレハブケーブルが知られている。光プレハブケーブルには、予め分岐が予定された区間（各階）ごとに、ケーブル内の光ファイバ心線を分岐する分岐部が配設されている。光プレハブケーブルでは、布設後、各分岐部において、引き出された光ファイバ心線に、各階へ配線される分岐光ケーブルのファイバ心線が接続される。このように、光プレハブケーブルでは、布設後、分岐部で接続作業のみを行えばよく、分岐接続の作業性が高まることから、高層ビルの各フロアへの光線路の布設など、複雑な光線路の布設に汎用されている。
【０００３】
各分岐部における光ファイバ心線同士の具体的な接続方法を説明する。すなわち、光プレハブケーブルの布設後、前記分岐部から光ファイバ心線を所定の余長を確保して引き出す。次に、光ファイバ心線の先端に光コネクタを取り付ける一方、光コネクタが接続される光コネクタアダプタを、建物の柱（固定構造物）に固定する。光コネクタアダプタには、分岐光ケーブルから引き出されたファイバ心線の光コネクタが接続される。これにより、光プレハブケーブル側の目的の光ファイバ心線に、分岐光ケーブル側のファイバ心線がコネクタ接続される。それから、光ファイバ心線を余長処理した後、光コネクタを保護カバーにより被ってテープ止めする。以上の作業は、作業者が現場で行う。
【特許文献１】特開２０００−２５８６７２号公報
【発明の開示】
【発明が解決しようとする課題】
【０００４】
しかしながら、特許文献１の分岐部付光ケーブルでは、前述したように作業者が各階の作業現場に多数の部品を持ち込み、分岐部から引き出された光ファイバ心線に、分岐光ケーブルのファイバ心線をコネクタ接続していた。その後も、光ファイバ心線の余長処理、保護カバーによる光コネクタおよび光コネクタアダプタの収納、保護カバーのテープ止めなどを行わなければならなかった。しかも、各階での作業スペースは狭隘で、作業し難いという課題があった。
【０００５】
そこで、この発明は、分岐部における光ファイバ心線同士の接続の作業性を高めることができ、しかも狭い作業スペースでも効率よく接続作業を行うことができる光ケーブル分岐部構造を提供することを目的とするものである。
また、この発明は、建物内に光ケーブルを縦貫する際の作業性を高めることができる分岐部付光ケーブルを提供することを目的としている。
さらに、この発明は、ケーブル布設時に、コネクタ接続部の損傷および光ケーブルのファイバ心線の損傷をそれぞれ防止することができる分岐部付光ケーブルを提供することを目的としている。
そして、この発明は、光ケーブルから引き出された光ファイバ心線の余長部分の処理が可能な分岐部付光ケーブルを提供することを目的としている。
【課題を解決するための手段】
【０００６】
請求項１に記載の発明は、光ケーブルの長さ方向の所定部分に、該光ケーブルから分岐された光ファイバ心線に対して分岐光ケーブルのファイバ心線を接続可能な分岐部が設けられた分岐部付光ケーブルにおいて、前記分岐部は、前記光ケーブルに設けられたケーシングと、該ケーシングに内設され、光コネクタを介して、前記光ファイバ心線の一端と前記分岐光ケーブルのファイバ心線の一端とを接続可能なコネクタ接続部とを有した分岐部付光ケーブルである。
【０００７】
請求項１に記載の発明によれば、コネクタ接続部では、光ケーブル側の光コネクタと光アダプタがケーシングの定位置に固定されているので、分岐光ケーブル先端の光コネクタを光ケーブル側の光アダプタに接続するだけで、両光ファイバ心線を簡単に光接続することができる。しかも、仮に狭い作業スペースであっても、効率良くこの接続作業を行うことができる。
【０００８】
光ケーブルの種類としては、例えば、テープスロット型光ケーブル、コード集合型光ケーブル、光ケーブル単線を集合した光プレハブケーブルなどを採用することができる。
分岐光ケーブルの種類としては、例えば、光コードケーブル、光ドロップケーブル、光インドアケーブルなどを採用することができる。
光ケーブルに内装される光ファイバ心線の種類および本数などは限定されない。例えば、単心線、２心テープ心線、４心テープ心線、８心テープ心線などを採用することができる。
光ケーブルにおける分岐部の形成数は限定されない。また、光ケーブルに複数の分岐部が存在する場合において、光ケーブルの各分岐部間の距離は均一（一定ピッチ）でもよいし、不均一でもよい。
【０００９】
ケーシングの素材としては、各種の合成樹脂、各種の金属などを採用することができる。
ケーシングの形状、大きさは限定されない。
ケーシングは、光ケーブルに分離不可能な状態で一体形成されてもよいし、光ケーブルに対して着脱自在に設けられてもよい。
ケーシングにおけるコネクタ接続部の設置位置は限定されない。例えば、ケーシングの一端部内でもよいし、ケーシングの中央部内でもよい。または、ケーシングの全体に内設してもよい。
【００１０】
コネクタ接続部は、例えば、光ファイバ心線の一端部に設けられた光コネクタと、ケーシングに固定され、かつ光コネクタが一端部に掛止される光コネクタアダプタとを有している。光コネクタアダプタの他端部には、分岐光ケーブルの一端部に設けられた分岐光コネクタが掛止される。
光コネクタおよび光コネクタアダプタの設置数は、光ケーブルに内装された光ファイバ心線の本数や分岐部で出力したい心数に応じて変更される。
【００１１】
請求項２に記載の発明は、前記ケーシングは、前記光ケーブルの長さ方向に長い箱体で、かつ長さ方向の一端部が先細り化した形状を有している請求項１に記載の分岐部付光ケーブルである。
【００１２】
請求項２に記載の発明によれば、ケーシングの長さ方向の一端部を先細り形状としたので、建物（高層ビルなど）の例えばＥＰＳに光ケーブルを縦貫状態で吊り込む際、ケーシングの先細り側を上方に向けてこの吊り込み作業を行う。その結果、ＥＰＳ内の障害物の間を潜り抜けながら光ケーブルを円滑に引き上げることができる。
先細り化されるのは、ケーシングの少なくとも一端部であればよい。例えば、ケーシングを、その全長にわたり先細り化してもよい。
ケーシングの先細り化は、段差が生じないように徐々（なだらか）に行ってもよいし、段階的に施してもよい。
ケーブル布設時（例えばＥＰＳ内へのケーブル吊り込み）における光ケーブルの移動は、光ケーブルの移動方向（進行方向）に、ケーシングの先細り側（一端部側）を向けて行うものとする。
【００１３】
請求項３に記載の発明は、前記コネクタ接続部は、前記ケーシングのうち、前記先細り化した一端部とは反対の他端部に設けられ、該ケーシングの他端部には、前記コネクタ接続部を少なくとも一端部によって被う保護カバーが着脱自在に設けられ、該保護カバーの他端部の端板には、前記分岐光ケーブルのファイバ心線の挿入口が形成された請求項２に記載の分岐部付光ケーブルである。
【００１４】
請求項３に記載の発明によれば、光ケーブルを例えば建物のＥＰＳなどに吊り込む際、光ケーブルの途中部分に膨出状態で形成された分岐部が、ＥＰＳの内壁またはＥＰＳ内の障害物に衝突する場合がある。しかしながら、コネクタ接続部を保護カバーにより被っているので、この衝突を原因としたコネクタ接続部の損傷を防止することができる。また、このように保護カバーによりコネクタ接続部を被うことで、コネクタ接続部への塵埃の付着を防ぐことができる。分岐光コネクタ差し込み時（接続時）には、保護カバーを外すことで差し込みが容易に行える。
また、分岐光ケーブルのファイバ心線は、保護カバーの他端部の端板に形成された挿入口を通してコネクタ接続部に接続される。そのため、例えばケーブル布設後の地震発生時などで、前記ＥＰＳ内で光ケーブルに揺れが生じ、分岐光ケーブルのファイバ心線が分岐部とＥＰＳの内壁との間、または、分岐部とＥＰＳ内の障害物との間などに挟まるおそれが低減する。そのため、このような事態を原因とした分岐光ケーブルのファイバ心線の損傷（断線を含む）の発生頻度を抑えることができる。
【００１５】
ここでいうコネクタ接続部が、ケーシングのうち、先細り化した一端部とは反対の他端部に設けられるとは、例えばケーブル布設時に、光ケーブルの移動方向へケーシングの先細り側を向けて光ケーブルを移動するとき、ケーシングの移動方向とは反対側の端部にコネクタ接続部が配置されるように、コネクタ接続部をケーシングに設けることをいう。
保護カバーの素材としては、例えば各種の合成樹脂、各種の金属などを採用することができる。
ケーシングの他端部への保護カバーの着脱構造は限定されない。例えば、ボルトナット止め構造、ビス止め構造、螺合構造、例えば面状ファスナの係止構造を含む雄雌嵌合構造などを採用することができる。
保護カバーの形状および大きさは、コネクタ接続部を外方から被うことができれば限定されない。例えば、保護カバーの形状としては筒形状でもよいし、樋形状でもよい。
【００１６】
コネクタ接続部を保護カバーの少なくとも一端部によって被うとは、コネクタ接続部を被うのは保護カバーの一端部のみでもよいし、保護カバーの一端部から中央部までの領域のみでもよい。さらに、保護カバーの全長にわたってコネクタ接続部を被ってもよい。
分岐光ケーブルのファイバ心線の挿入口の形状および大きさは、対応する本数の分岐光ケーブルのファイバ心線（分岐光コネクタ）の出し入れが可能であれば限定されない。
【００１７】
請求項４に記載の発明は、前記ケーシングには、前記光ケーブルから引き出された光ファイバ心線の余長部分を湾曲状態で収納する余長収納部が内設された請求項１〜請求項３のうち、何れか１項に記載の分岐部付光ケーブルである。
【００１８】
請求項４に記載の発明によれば、光ケーブルから引き出された光ファイバ心線を、予め余長収納部に湾曲状態で収納させておく。そのため、現場における分岐光ケーブルのファイバ心線とのコネクタ接続時に、光ファイバ心線をあらためて湾曲処理する必要がなく、コネクタ接続の作業性を高めることができる。
光ファイバ心線の湾曲処理は、接続現場の周囲に確保すべき作業スペースが他の作業に比べて大きい。例えば、光ファイバの余長部分が長ければ、それを湾曲処理するためにさらに大きい作業スペースが必要となる。しかしながら、この発明ではこのような湾曲処理作業が不要となるため、作業スペースが狭くても光ファイバ心線同士のコネクタ接続を行うことができる。
【００１９】
光ケーブルから引き出された光ファイバ心線の余長部分とは、光ケーブルから引き出された光ファイバ心線のうち、光ケーブルからの光ファイバ心線の引き出し位置と、コネクタ接続部の当該光ファイバ心線が接続される位置とを最端距離で連結したとき、この連結に不要であった残りの部分である。
余長収納部の形状は、例えば円盤容器形状、楕円容器形状、立方容器形状、直方容器形状などである。
余長収納部の大きさ（内容積）は限定されない。
【発明の効果】
【００２０】
請求項１に記載の発明によれば、光ケーブルの分岐部として、ケーシングにコネクタ接続部を設けたものを採用したので、分岐光ケーブルのファイバ心線の先端の光コネクタを光ケーブル側の光アダプタに接続するだけで、両光ファイバ心線を簡単に光接続することができる。しかも、仮に狭い作業スペースであっても、効率良くこの接続作業を行うことができる。
【００２１】
特に、請求項２記載の発明によれば、ケーシングの長さ方向の一端部を先細り形状としたので、建物内に光ケーブルを縦貫する際、障害物の間をすり抜けながら光ケーブルを建物内に吊り込むことができる。その結果、光ケーブルの布設時の作業性をさらに高めることができる。
【００２２】
また、請求項３に記載の発明によれば、コネクタ接続部を保護カバーにより被うように構成したので、ケーブル布設時において、建物内のケーブル布設用の通路の内壁と光ケーブルとが接触することで発生するコネクタ接続部の損傷を防ぐことができる。
そして、保護カバーの他端部の端板に分岐光ケーブルのファイバ心線の挿入口を設けたので、何らかの原因により分岐光ケーブルのファイバ心線が分岐部とＥＰＳの内壁との間、または、分岐部とＥＰＳ内の障害物との間などに挟まるおそれが低減し、分岐光ケーブルのファイバ心線の損傷の発生頻度を抑えることができる。
【００２３】
さらに、請求項４に記載の発明によれば、ケーシング内に光ケーブルからの光ファイバ心線の余長部分を湾曲状態で収納する余長収納部を設けたので、現場での分岐部における両光ファイバ心線同士の接続時に、光ファイバ心線をあらためて湾曲処理する必要がなく、コネクタ接続の作業性が高まるとともに、狭い作業スペースでも光ファイバ心線同士を光コネクタ接続することができる。
【発明を実施するための最良の形態】
【００２４】
以下、この発明の実施例を具体的に説明する。ここでは、オフィスビルのＥＰＳ内に吊り下げ式で布設される光プレハブケーブルを例にとる。
【実施例１】
【００２５】
図１および図２において、１０はこの発明の実施例１に係る分岐部付光ケーブルで、この分岐部付光ケーブル１０は、光ケーブル１１の長さ方向の所定部分に、光ケーブル１１から分岐された４心テープ心線１２を構成する各ファイバ単心線（光ファイバ心線）１２ａに対して、分岐光ケーブルの１本の光コード（ファイバ心線）１３をそれぞれ接続可能な分岐部１４が設けられたものである。
【００２６】
以下、分岐部付光ケーブル１０の構成部品を詳細に説明する。
分岐部付光ケーブル１０は、その元部が地上設置の光ＭＤＦ１５に接続される一方、その先側の略半分が、高層オフィスビルのＥＰＳ１６に、吊り部１７を介して吊り下げられたテープスロット型の光通信幹線ケーブルである。
分岐部付光ケーブル１０は、外周面上に５本の条溝１８が配設されたスロットロッド１９を本体としている（図２）。各条溝１８には、４心テープ心線１２が５層ずつ収められている。４心テープ心線１２は、４本のファイバ単心線１２ａをテープ材により一体化したものである。スロットロッド１９の外周部には、押さえ巻き層２０と被覆層２１とが順次形成されている。スロットロッド１９の中心部には、テンションメンバ２２が設けられている。
【００２７】
以下、図１および図３〜図６を参照して、前記分岐部１４を詳細に説明する。
図１に示すように、分岐部付光ケーブル１０には、予め工場において、分岐が予定された区間（各階）ごとに分岐部１４が配設されている。
すなわち、図３〜図５に示すように分岐部１４は、光ケーブル１１に設けられ、かつ光ケーブル１１の長さ方向に長い箱体であるとともに、その長さ方向の一端部が先細り化したケーシング２３と、ケーシング２３に内設され、かつ光コネクタ２４および分岐光コネクタ２４Ａを介して、前記４本のファイバ単心線１２ａの一端と、対応する４本の光コード１３の一端とを接続可能なコネクタ接続部２５とを備えている。
【００２８】
ケーシング２３は、正面視して略矩形皿状のベース体２６と、ベース体２６に対して、互いの外周縁を合致させた状態で被せられる正面視して略矩形皿状の蓋体２７と、ベース体２６および蓋体２７にそれぞれ着脱自在に連結され、コネクタ接続部２５を一端部によって被う保護カバー２８とを有している。
ベース体２６は、蓋体２７に比べて若干長く、かつベース体２６の両側板およびベース体２６の長さ方向の一端側の端板にわたって突設された嵌合突条２６ａを介して、ベース体２６を蓋体２７に合致させた際、ベース体２６の他端部が、蓋体２７のそれより若干外方へ突出するように構成されている（図５）。なお、蓋体２７の両側板およびベース体２６の長さ方向の一端側の端板とには、各縁部の内側に、前記嵌合突条２６ａに対応した嵌合溝２７ａが形成されている。
また、ベース体２６と蓋体２７との各長さ方向の一端側の端板間には、光ケーブル１１の挿入孔２３ａが形成される。一方、ベース体２６と蓋体２７との各長さ方向の他端にはそれぞれ端板が存在せず、開放状態となっている。ケーシング２３は、トラブル時などに対応が可能なように、ねじ止めによりベース体２６と蓋体２７とが着脱可能となっている。
【００２９】
また、ベース体２６の両側板には、その長さ方向の他端部の内側に、ベース体２６の厚さ方向に延びる短尺な嵌着溝２６ｂがそれぞれ形成されている。両嵌着溝２６ｂには、側面視してＴ字形状を有し、かつ光ケーブル１１の一部を固定するシース固定部材２９が着脱自在に嵌入されている。シース固定部材２９には、光コネクタアダプタ３０を固定する矩形板状のアダプタ固定部材３１が着脱自在に連結される（図６）。アダプタ固定部材３１には、４つのアダプタ固定孔３１ａが形成されている。各アダプタ固定孔３１ａには、対応する光コネクタアダプタ３０がそれぞれ固定されている。また、各光コネクタアダプタ３０のケーシング内側部分には、前記４本のファイバ単心線１２ａの端部に配設された光コネクタ２４のうち、対応したものがそれぞれ接続されている。コネクタ接続部２５は、これら４対の光コネクタ２４と光コネクタアダプタ３０とから構成される。
【００３０】
各光コネクタアダプタ３０のうち、蓋体２７の内部空間に配置される一端部には、光ケーブル側の光コネクタ２４が接続される。一方、各光コネクタアダプタ３０のうち、保護カバー２８の内部空間に配置される他端部には、光コード１３側の分岐光コネクタ２４Ａが接続される。
蓋体２７の長さ方向の他端近傍には、アダプタ固定部材３１のガイド溝２７ｂが形成されている（図５）。そして、蓋体２７の長さ方向の他端の全域には、底面視してコの字形状を有した前記保護カバー２８の装着ガイド２７ｃが突設されている。
【００３１】
ベース体２６には、その長さ方向の一端部の内側に、予め工場で押さえ巻き層２０と被覆層２１とを剥ぐことで露出されたスロットロッド１９の一部を、このベース体２６に対して堅牢に固定するためのスロット把持部３２が設けられている。これにより、スロットロッド１９の露出部は、常時、ケーシング２３の内部空間に配置される。
また、ベース体２６と蓋体２７とは、その長さ方向の一端部同士が、それぞれ正面視して徐々に幅狭になるように形成されている。しかも、蓋体２７はその長さ方向の一端部の厚さが先細り化（薄肉化）するようにも形成されている。すなわち、蓋体２７は、その長さ方向の他端部から中間部にかけて徐々に薄肉化し、その後、長さ方向の中間部から先端部にかけては、その薄さを保つように構成されている。
【００３２】
ケーシング２３の内部空間の蓋体側には、光ケーブル１１から引き出された４本のファイバ単心線１２ａの余長部分１２ｂをそれぞれ湾曲状態で収納する余長収納部３３が配置されている。余長収納部３３は、正面視してケーシング２３の長さ方向に長い楕円形状を有している。この余長収納部３３に、光ケーブル１１から引き出された４本のファイバ単心線１２ａの余長部分１２ｂが、光特性に影響を耐えない規定以上の湾曲半径（Ｒ１５以上）を確保して収納されている。なお、光コネクタとして、予め光コネクタに別のファイバ単心線が接続されたものも利用できる。この場合、余長収納部３３に収納されるのは、前記光ケーブル１１から引き出されたファイバ単心線１２ａの余長部分１２ｂだけでなく、ファイバ単心線１２ａと融着接続される前記別のファイバ単心線をも含む。
【００３３】
前記保護カバー２８は短尺な樋形状の部材で、その長さ方向の一端部の装着溝２８ｃ、および、前記装着ガイド２７ｃを介して、蓋体２７の長さ方向の他端と、前記ベース体２６の長さ方向の他端部とにそれぞれ掛止される。なお、保護カバー２８とベース体２６との連結は、保護カバー２８の両側板の縁部のうち、保護カバー２８の長さ方向の一端側の半分の領域に形成された１対の嵌着溝２８ｂと、前記ベース体２６の両側板の嵌合突条２６ａの一部とを嵌め合わせることでなされる。
保護カバー２８の長さ方向の他端部は、他端に向かうほど徐々に先細り化されている。保護カバー２８の長さ方向の他端部の端板には、４本の光コード１３を出し入れ可能な挿入口２８ａが形成されている。
【００３４】
次に、この発明の実施例１に係る分岐部付光ケーブル１０の使用方法を説明する。
図１に示すように、分岐部付光ケーブル１０は、その元部が光ＭＤＦ１５に接続された状態で、分岐部付光ケーブル１０の先側の略半分を、高層オフィスビルのＥＰＳ１６に、吊り部１７を介して吊り下げられる。分岐部付光ケーブル１０は、予め工場において、分岐が予定された区間（各階）ごとに分岐部１４が配設されている。そのため、各分岐部１４が、対応する階に配置されることになる。
【００３５】
次に、図３および図４に示すように、各階において、分岐部１４に配置された４個のファイバ単心線１２ａの先端の光コネクタ２４を、対応する光コネクタアダプタ３０の他端部にそれぞれ接続する。このとき、コネクタ接続部２５では、対応するファイバ単心線１２ａの光コネクタ２４をそれぞれ一端部に接続させた合計４個の光コネクタアダプタ３０が、ケーシング２３の定位置に固定されている。そのため、各光コード１３の一端に設けられた分岐光コネクタ２４Ａを、対応する光コネクタアダプタ３０の他端部にそれぞれ接続するだけで、対応するファイバ単心線１２ａおよび光コード１３を簡単に光接続することができる。しかも、仮に狭い作業スペースであっても、効率良くこの接続作業を行うことができる。
【００３６】
そして、ケーシング２３の長さ方向の一端部を先細り形状としたので、前記ＥＰＳ１６に分岐部付光ケーブル１０を縦貫状態で吊り下げる際、ケーシング２３の先細り側を上方に向けてこの吊り込み作業を行う。その結果、ＥＰＳ１６内の障害物（例えば、スラブ貫通部や他の布設済みケーブルなど）の間を潜り抜けながら分岐部付光ケーブル１０を円滑に引き上げることができる。
【００３７】
さらに、分岐部付光ケーブル１０をＥＰＳ１６に吊り込む際、光ケーブル１１の途中部分に膨出状態で形成された分岐部１４が、ＥＰＳ１６の内壁またはＥＰＳ１６内の障害物に衝突する場合がある。しかしながら、コネクタ接続部２５を保護カバー２８により被っているので、この衝突を原因としたコネクタ接続部２５の損傷を防止することができる。また、このように保護カバー２８によりコネクタ接続部２５を被うことで、コネクタ接続部２５への塵埃の付着を防ぐことができる。
また、光コード１３は、保護カバー２８の他端部の端板に形成された挿入口２８ａを通してコネクタ接続部２５に接続される。そのため、例えばケーブル布設後の地震発生時などで、ＥＰＳ１６内の分岐部付光ケーブル１０に揺れが生じ、光コード１３が分岐部１４とＥＰＳ１６の内壁との間、または、分岐部１４とＥＰＳ１６内の障害物との間などに挟まるおそれが低減する。そのため、このような事態を原因とした光コード１３の損傷（断線を含む）の発生頻度を抑えることができる。
【００３８】
さらに、光ケーブル１１から引き出されたファイバ単心線１２ａを、予め余長収納部３３に湾曲状態で収納させておくので、現場における光コード１３とのコネクタ接続時に、各ファイバ単心線１２ａをあらためて湾曲処理する必要がなく、コネクタ接続の作業性を高めることができる。
ファイバ単心線１２ａの湾曲処理は、接続現場の周囲に確保すべき作業スペースが他の作業に比べて大きい。例えば、ファイバ単心線１２ａの余長部分１２ｂが長ければ、それを湾曲処理するためにさらに大きい作業スペースが必要となる。しかしながら、実施例１ではこのような湾曲処理作業が不要となるため、作業スペースが狭くても対応するファイバ単心線１２ａおよび光コード１３同士のコネクタ接続を行うことができる。
【図面の簡単な説明】
【００３９】
【図１】この発明の実施例１に係る分岐部付光ケーブルの施工状態を示す斜視図である。
【図２】この発明の実施例１に係る分岐部付光ケーブルに組み込まれた光ケーブルの長さ方向に直交した拡大断面図である。
【図３】この発明の実施例１に係る分岐部付光ケーブルの分岐部の拡大正面図である。
【図４】この発明の実施例１に係る分岐部付光ケーブルの分岐部の拡大側面図である。
【図５】この発明の実施例１に係る分岐部付光ケーブルに組み込まれたケーシングの拡大分解側面図である。
【図６】この発明の実施例１に係る分岐部付光ケーブルに組み込まれたケーシングの使用状態の拡大底面図である。
【符号の説明】
【００４０】
１０  分岐部付光ケーブル、
１１  光ケーブル、
１２ａ  ファイバ単心線（光ファイバ心線）、
１２ｂ  余長部分、
１３  光コード（ファイバ心線）、
１４  分岐部、
２３  ケーシング、
２４  光コネクタ、
２５  コネクタ接続部、
２８  保護カバー、
２８ａ  挿入口、
３０  光コネクタアダプタ、
３３  余長収納部。
【図１】
2007192939.tif 000003
【図２】
2007192939.tif 000004
【図３】
2007192939.tif 000005
【図４】
2007192939.tif 000006
【図５】
2007192939.tif 000007
【図６】
2007192939.tif 000008